(57)【要約】【課題】使用するコイルバネ振動を早期に減衰させてサージングを効果的に抑制する。【解決手段】ベース１と、ベース１に対して接離可能に取り付けられるボタン３と、ベース１とボタン３の間に配置され、ベース１に対してボタン３を離間方向へと付勢するコイルバネ４と、ベース１とコイルバネ４、又は、ボタン３とコイルバネ４の間に配置されて、ベース１又はボタン３に対して、コイルバネ４の端部を揺動可能に支持する突起部１００とを備える。【選択図】図１
2019021600.tif 000002
【特許請求の範囲】
【請求項１】
ベースと、
前記ベースに対して接離可能に取り付けられるボタンと、
前記ベースと前記ボタンの間に配置され、前記ベースに対して前記ボタンを離間方向へと付勢するコイルバネと、
前記ベース又は前記ボタンと、前記コイルバネとの間に配置されて、前記ベース又は前記ボタンに対して、前記コイルバネの端部を揺動可能に支持する突起部とを備える、押しボタンスイッチ。
【請求項２】
前記突起部は、前記コイルバネの中心軸に対して対向する位置にそれぞれ設けた一対の突起で構成される、請求項１に記載の押しボタンスイッチ。
【請求項３】
前記突起部の高さは、前記コイルバネの素線径よりも大きい、請求項１又は２に記載の押しボタンスイッチ。
【請求項４】
前記突起部は、前記ボタンと前記コイルバネとの間の前記ボタンに設けられている、請求項１から３のいずれか１項に記載の押しボタンスイッチ。
【請求項５】
前記突起部は、前記ベースと前記コイルバネとの間の前記ベースに設けられている、請求項１から３のいずれか１項に記載の押しボタンスイッチ。
【請求項６】
前記突起部は、前記ボタンと前記コイルバネとの間に設けた突起と、前記ベースと前記コイルバネとの間に設けた突起とで構成され、前記コイルバネの中心軸周りにおいて前記突起の位置は互いに相違している、請求項１から３のいずれか１項に記載の押しボタンスイッチ。
【請求項７】
前記突起部は、前記コイルバネに設けられている、請求項１から３のいずれか１項に記載の押しボタンスイッチ。
【請求項８】
前記突起部が複数の突起で構成され、前記複数の突起の高さは、それぞれ前記コイルバネの素線径よりも大きくて互いに相違している、請求項１から７のいずれか１項に記載の押しボタンスイッチ。
【請求項９】
前記コイルバネは、前記ボタンと前記ベースとの間に設けた導光部材の外側に配置されている、請求項１から８のいずれか１項に記載の押しボタンスイッチ。
【発明の詳細な説明】
【技術分野】
【０００１】
本発明は、押しボタンスイッチに関するものである。
【背景技術】
【０００２】
従来、押しボタンスイッチとして、例えば、ベースから筒状のガイドポストを突出させ、このガイドポストの内径側で導光体をガイドし、外径側に配置したコイルバネで、ボタンを押込可能に弾性支持した構成のキーボードスイッチが公知である（例えば、特許文献１参照）。
【０００３】
しかしながら、前記押しボタンスイッチをキーボード等に採用し、ゲームソフトの操作キーと利用する場合、押しボタンスイッチを押し込んだ状態から弾くような操作を行うことがある。この場合、コイルバネは押しボタンスイッチの押込方向に沿って伸縮するだけであるため、なかなか減衰せず、異音を発生させる原因となっている。
【先行技術文献】
【特許文献】
【０００４】
【特許文献１】中国特許出願公開第１０４８５１７２７号明細書
【発明の概要】
【発明が解決しようとする課題】
【０００５】
本発明は、使用するコイルバネ振動を早期に減衰させてサージングを効果的に抑制できる押しボタンスイッチを提供することを課題とする。
【課題を解決するための手段】
【０００６】
本発明は、前記課題を解決するための手段として、
ベースと、
前記ベースに対して接離可能に取り付けられるボタンと、
前記ベースと前記ボタンの間に配置され、前記ベースに対して前記ボタンを離間方向へと付勢するコイルバネと、
前記ベース又は前記ボタンと、前記コイルバネとの間に配置されて、前記ベース又は前記ボタンに対して、前記コイルバネの端部を揺動可能に支持する突起部とを備える、押しボタンスイッチを提供する。
【発明の効果】
【０００７】
本発明によれば、押し込んだボタンから指を離すことにより、ボタンを離間方向に突出させるようにコイルバネの付勢力が作用したとしても、コイルバネの端部を揺動可能に支持する突起部を備えるようにしたので、コイルバネが中心軸方向だけでなく、この中心軸に対して傾斜した方向にも付勢力を作用させる。この結果、コイルバネの振動を早期に減衰させてサージングを効果的に抑制できる。
【図面の簡単な説明】
【０００８】
【図１】本実施形態に係る押しボタンスイッチの斜視図である。
【図２】図１からボタンを外した状態を示す斜視図である。
【図３】図１に示す押しボタンスイッチの分解斜視図である。
【図４Ａ】図３のベースの斜視図である。
【図４Ｂ】図４Ａを下方側から見た斜視図である。
【図５Ａ】図３の導光体を上方側から見た斜視図である。
【図５Ｂ】図５Ａの導光体を下方側から見た斜視図である。
【図６Ａ】図３のボタンを上方側から見た斜視図である。
【図６Ｂ】図６Ａのボタンを下方側から見た斜視図である。
【図７Ａ】図３の固定接触片の斜視図である。
【図７Ｂ】図７Ａの固定接触片を異なる角度から見た斜視図である。
【図８Ａ】図３の可動接触片の斜視図である。
【図８Ｂ】図８Ａの可動接触片を異なる角度から見た斜視図である。
【図９Ａ】図３のスライダの斜視図である。
【図９Ｂ】図９Ａのスライダを異なる角度から見た斜視図である。
【図１０】図１に示す押しボタンスイッチの正面断面図である。
【図１１】本実施形態に係る突起部を有するボタンを備えた押しボタンスイッチと、突起部のない押しボタンスイッチとでコイルバネの振動の変化を比較したグラフである。
【図１２】他の実施形態に係る導光体の斜視図である。
【図１３】他の実施形態に係るボタンを下方側から見た斜視図である。
【図１４】他の実施形態に係る導光体の斜視図である。
【図１５】他の実施形態に係るコイルバネの斜視図である。
【発明を実施するための形態】
【０００９】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは相違している。
【００１０】
図１は、本実施形態に係る押しボタンスイッチの全体を示す斜視図である。図２は、図１からボタン３を取り外した状態を示す斜視図である。図３は、図１の押しボタンスイッチの分解斜視図である。この押しボタンスイッチは、ベース１、ボタン３、コイルバネ４、接点開閉機構５、スライダ６、及び、昇降機構７を備える。
【００１１】
図４Ａ及び図４Ｂに示すように、ベース１は、合成樹脂材料を成形加工したもので、底部８と方形枠部９とからなり、底部８に導光体２を備える。
【００１２】
底部８には平面視円形状の開口部１０が形成されている。開口部１０の内周面には、上下方向の中央部分に環状の係止受部１１が形成されている。係止受部１１には、後述するように導光体２の係止爪２９ａが係止される。
【００１３】
開口部１０の近傍には第１取付台１２と第２取付台１３とが形成されている。第１取付台１２の側面には上下方向に延びる第１係止溝１４が形成されている。底部８には、第１係止溝１４に連続して下面に連通する第１端子孔１５が形成されている。また第１取付台１２は、上面が凸状の円弧面で構成された第１係止突条１６を備える。第２取付台１３も第１取付台１２と同様な構成で、第２係止溝１７及び第２係止突条１８を備え、底部８には第２係止溝１７に連通する第２端子孔１９が形成されている。第１取付台１２には固定接触片４１が固定され、第２取付台１３には可動接触片４２が固定される。また底部８の一側部上面には、中央部に平面視矩形状の窪み部２０ａが形成されている。また、底部８の４隅には窪み部２０ｂがそれぞれ形成されている。窪み部２０ｂの底面には、ボタン３を押し下げた際、後述するボタン３の当接部３６の下端が当接し、ボタン３のそれ以上の移動が制限される。
【００１４】
方形枠部９は、対向する２組の側面壁２１ａ，２１ｂで構成され、それらの外側には鍔部２２が形成されている。鍔部２２は、後述する昇降機構７の支持に使用される。対向する側面壁２１ａの外側では、鍔部２２の外側に押出防止壁２３が形成されている。押出防止壁２３は、第１アーム６７及び第２アーム６８が側方に押し出されるのを防止する。対向する側面壁２１ａの外面中央部には、凹所２４が形成されている。凹所２４は、側面壁２１ａの上半部が幅狭の溝部２４ａで構成され、下半部が溝部２４ａよりも広がった逃がし凹部２４ｂで構成されている。溝部２４ａの幅寸法は、後述する第１アーム６７と第２アーム６８を折り畳んだ状態で挿通可能な幅寸法に形成されている。
【００１５】
図５Ａ及び図５Ｂに示すように、導光体２は、透光性を有する合成樹脂材料を成形加工したもので、円錐台形状の導光本体２５と、この導光本体２５の下端部から径方向に突出する弾性体受部２６とで構成されている。
【００１６】
導光本体２５の上面には複数の凸レンズ２５ａが形成されている。これら凸レンズ２５ａにより、光源であるＬＥＤ（Light Emitting Diode）２５ｂ（図５Ｂ参照）からの光が拡散される。
【００１７】
弾性体受部２６は鍔状で、上半部の受部本体２７と、下半部の筒状体２８とで構成されている。また弾性体受部２６は、周方向３箇所等分に切欠き２６ａが形成され、そこには爪部２９がそれぞれ形成されている。受部本体２７と筒状体２８は、切欠き２６ａによって３つの円弧状部分に分割されている。受部本体２７は、ベース１の開口部１０よりも外径寸法が大きく、その下面が底部８の上面に当接する。筒状体２８の外面は開口部１０の内面に当接し、ベース１に対して導光体２を径方向に位置決めする。また、受部本体２７の下面と筒状体２８の内面とで囲まれた空間は、図示しないＬＥＤ２５ｂを配置するための凹部３０となっている。爪部２９は、筒状体２８と同様に下方側に延び、先端部分には外径側に突出する係止爪２９ａが形成されている。係止爪２９ａは、ベース１の開口部１０に形成した係止受部１１に係止され、導光体２が開口部１０から上方側へと脱落するのを防止する。
【００１８】
図６Ａ及び図６Ｂに示すように、ボタン３は、合成樹脂材料を平面視矩形状に成形加工したもので、平板部３１と、平板部３１の対向する２辺からそれぞれ下方に延びる側壁部３２と、平板部３１の対向する残る２辺からそれぞれ側方に延びる延在部３３ａ、３３ｂとを備える。
【００１９】
平板部３１の下面中央部には筒状のガイド部３４が形成されている。ガイド部からは、外径方向に延在する一対の突起部１００（第１突起１０１及び第２突起１０２）が形成されている。第１突起１０１と第２突起１０２は、ガイド部３４の中心を通る同一直線上（すなわち、この中心に対して周方向に１８０°離れた位置）に配置されている。また突起部１００は、コイルバネ４の端部に当接する部分が山型又はＵ字形状、例えば、断面半円状とされ、両者の接触面積が抑えられている。さらに突起部１００は、平板部３１からの突出寸法が、ガイド部３４よりも小さいが、コイルバネ４の素線径よりも大きく設定されている。これにより、平面視で、コイルバネ４の上端部（最後の１巻き）のいずれの箇所であっても突起部１００に確実に当接させて、突起部１００でコイルバネ４の端部を揺動可能に支持することができる。
【００２０】
なお、突起部１００は必ずしもコイルバネ４の中心に対して１８０°位相を異にした同一直線上に配置されているものに限らず、周方向に位置ずれして配置されるものも含まれる。また、突起部は断面半円状に限らず、断面三角形状等、コイルバネ４の端部との接触面積が小さくできる種々の断面形状が含まれる。要は、コイルバネ４の端部が突起部１００に圧接することによりアンバランスとなり、コイルバネ４がその中心軸方向ではなく、中心軸に交差する方向にも撓ませることができるような突起部１００であればよい。
【００２１】
また平板部３１の下面には、３辺に沿ってガイド壁３５が設けられている。ガイド壁３５の両側対向壁は、両端部分に他の部分よりも突出した当接部３６が形成されると共に、両端部を除いて内側に迫り出している。また、ガイド壁３５の両端部に位置する当接部３６の対向部分には、スライダ６をガイドするガイド溝３６ａがそれぞれ形成されている。ガイド溝３６ａを構成する一方の側壁は上下端部を除いて切除され、下端部には持上用突部３７が形成されている。持上用突部３７は、上方に向かって徐々に傾斜する下方側の傾斜面３７ａと、上方側の平坦面３７ｂとを備える。
【００２２】
側壁部３２には、さらに下方側へと延在する両端部分に軸受穴３８が形成されている。各軸受穴３８には、後述する第１アーム６７と第２アーム６８の第１軸部７１とがそれぞれ回転及びスライド可能に支持される。
【００２３】
一方の延在部３３ａには、３箇所に凹状の円弧面を有する突起３９が形成されている。平板部３１の側縁と突起３９の円弧面とで、図示しないバランスバーを支持する支持部４０が構成されている。
【００２４】
図３に戻って、コイルバネ４は線材を螺旋状としたもので、導光体２の弾性体受部２６と、ボタン３のガイド部３４との間に配置され、ベース１に対してボタン３を上方へと付勢する。
【００２５】
接点開閉機構５は、固定接触片４１と可動接触片４２とを備え、これらは平板状の銅合金をプレス及び折り曲げ加工することにより形成される。
【００２６】
図７Ａ及び図７Ｂに示すように、固定接触片４１は、第１平面部４３と、第１平面部４３の下縁中央部から下方に延びる固定端子部４４と、第１平面部４３の一端側下縁から直交して延びる第２平面部４５と、第２平面部４５の一端縁から直交して延びる第３平面部４６と、第３平面部４６に設けた固定接点４７と、第１平面部４３の他端縁から直交して延び、第３平面部４６に対向する第４平面部４８とを備える。固定端子部４４の中央部分には第１平面部４３に至る第１係止突部４９が形成されている。第１係止突部４９がベース１の第１取付台１２に形成した第１係止溝１４に係止される。固定端子部４４が第１端子孔１５に圧入されて底部８の下面から突出する。第４平面部４８には、下縁中央部に円弧状に切り欠いた第１係止凹部５０が形成されている。第１係止凹部５０は、前記第１取付台１２の第１係止突条１６に係止される。
【００２７】
図８Ａ及び図８Ｂに示すように、可動接触片４２は、第１平面部５１と、第１平面部５１の一端側下縁から下方に延びる可動端子部５２と、第１平面部５１の一端から直交して延びる第２平面部５３と、第１平面部５１の他端から直交して延び、前記第２平面部５３に部分的に対向する第３平面部５４とを備える。可動端子部５２の中央部分には第１平面部５１に至る第２係止突部５５が形成されている。第２平面部５３には、下縁中央部に円弧状に切り欠いた第２係止凹部５６が形成されている。第２係止凹部５６は、前記第１取付台１２の第２係止突条１８に係止される。第３平面部５４は、上縁中央部に断面略Ｃ字状に屈曲した突出片５７が形成されている。突出片５７は、後述するスライダ６の押圧部５９に押圧され、第３平面部５４（さらには第１平面部５１）を弾性変形させる。第３平面部５４の先端外面には可動接点５８が設けられている。
【００２８】
図９Ａ及び図９Ｂに示すように、スライダ６は、合成樹脂材料を成形加工した平板状のものである。スライダ６は、中央部分に押圧部５９を備える。押圧部５９は、上端より所定寸法下方側から徐々に突出する第１傾斜面６０と、第１傾斜面６０に連続する、突出部分の中央が若干窪んだ凹曲面６１とを備える。また押圧部５９は、突出部分の下端側は徐々に突出寸法が小さくなる第２傾斜面６２を備える。
【００２９】
またスライダ６は、両端部に被ガイド突部６４を備える。被ガイド突部６４は、スライダ６の両端部に設けた平坦部６５の外面中央部を左右に２分するように形成されている。被ガイド突部６４は、ボタン３に形成したガイド溝３６ａ内に挿入されて上下動可能にガイドされる。平坦部６５には、被ガイド突部６４によって２分された一方の下方側に被持上用突部６６が形成されている。被持上用突部６６の上面は、下方に向かうに従って徐々に突出する傾斜面６６ａで構成され、下面は平坦面６６ｂで構成されている。被持上用突部６６の平坦面６６ｂに持上用突部３７の平坦面３７ｂが当接し、ボタン３が上動する際、一緒に持ち上げられる。
【００３０】
図３に戻って、昇降機構７は、第１アーム６７と第２アーム６８とを備える。第１アーム６７と第２アーム６８は略同一形状で、軸体６９と、その両端部から延びる腕部７０とで構成されている。軸体６９の両端部には第１軸部７１がそれぞれ形成されている。一方の腕部７０の先端側には、内側に突出する第２軸部７２と第１突起７３とが形成されている。他方の腕部７０の先端側には、前記第２軸部７２が回転可能に挿通される軸受孔７４と、内側に突出する第２突起７５とが形成されている。
【００３１】
第１アーム６７と第２アーム６８は、第１アーム６７の第２軸部７２を第２アーム６８の軸受孔７４に挿通し、第２アーム６８の第２軸部７２を第１アーム６７の軸受孔７４に挿通することにより連結される。連結された第１アーム６７と第２アーム６８とは、折り畳んだ状態で、連結部分をベース１の溝部２４ａに挿通され、逃がし凹部２４ｂで広げることにより、第１突起７３と第２突起７５とが逃がし凹部２４ｂを構成する上面に当接し、ベース１からの脱落が阻止される。また、連結された第１アーム６７と第２アーム６８とは、第１軸部７１をボタン３の軸受穴３８に挿通することによりボタン３に連結される。ボタン３は、第１軸部７１が軸受穴３８の内縁に当接することにより突出方向の移動が制限される。またボタン３は、当接部３６の下端がベース１の窪み部２０ｂの底面に当接することにより押込方向の移動が制限される。
【００３２】
続いて、前記構成からなる押しボタンスイッチの組立方法を説明する。
【００３３】
底部８の開口部１０に導光体２を配置する。導光体２の筒状体２８を開口部１０内に挿入し、鍔部２２を底部８の上面に当接させる。これにより、爪部２９の係止爪２９ａが開口部１０の係止受部１１に係止され、導光体２を備えたベース１が得られる。
【００３４】
底部８の開口部１０に配置した導光体２の周囲にコイルバネ４を配置する。この状態では、コイルバネ４の下端部は、導光体２の弾性体受部２６に当接する。
【００３５】
ベース１の第１取付台１２に固定接触片４１を取り付け、第２取付台１３に可動接触片４２を取り付ける。固定接触片４１は、固定端子部４４をベース１の第１端子孔１５に圧入し、第１係止突部４９を第１取付台１２の第１係止溝１４に係止し、第１係止凹部５０を第１取付台１２の第１係止突条１６に係止することによりベース１に固定する。可動接触片４２は、可動端子部５２をベース１の第２端子孔１９に圧入し、第２係止突部５５を第２取付台１３の第２係止溝１７に係止し、第２係止凹部５６を第２取付台１３の第２係止突条１８に係止することによりベース１に固定する。この状態では、固定接点４７に対して可動接点５８が閉成可能に対向する。
【００３６】
第１アーム６７の第２軸部７２を第２アーム６８の軸受孔７４に挿通し、第２アーム６８の第２軸部７２を第１アーム６７の軸受孔７４に挿通することにより、第１アーム６７と第２アーム６８を連結する。そして、第１アーム６７と第２アーム６８とを、折り畳んだ状態でベース１の溝部２４ａを介して凹部３０に挿入し、Ｖ字状に広げる。さらに、ボタン３のガイド溝３６にスライダ６の被ガイド突部６４をガイドさせる。この状態で、第１アーム６７と第２アーム６８の第１軸部７１をボタン３の軸受穴３８に挿通する。これにより、ボタン３は、導光体２との間に配置したコイルバネ４の付勢力によって突出方向に付勢される。このとき、コイルバネ４の上端部は、ボタン３に形成した各突起部１００に当接する。各突起部１００の先端部分は断面半円状に形成されているため、コイルバネ４の上端部に対して点接触する。したがって、ボタン３を押し込んだ後、その押込状態を解除すると、コイルバネ４はボタン３に対して中心軸方向だけではなく、この中心軸に傾斜した方向にも付勢力を作用させる。なお、ボタン３は、第１アーム６７と第２アーム６８の第１軸部７１が軸受穴３８の内縁に当接することにより突出方向への移動を規制される。
【００３７】
このようにして組み立てられた押しボタンスイッチは、ＬＥＤ２５ｂを実装したプリント基板（図示せず）上に取り付ける。押しボタンスイッチの取付では、ベース１の下面に位置する導光体２の凹部３０にＬＥＤ２５ｂが入り込む。また、ボタン３には、図示しないキーキャップが装着され、キーボードのキーとなる。
【００３８】
次に、前記構成からなる押しボタンスイッチの動作を説明する。
【００３９】
図示しないキーキャップを押込操作していない初期状態では、ボタン３はコイルバネ４の付勢力によって上方に付勢され、第１アーム６７と第２アーム６８の各第１軸部７１が第２アーム６８と第１アーム６７の各軸受穴３８の内縁に当接している。これにより、ボタン３は突出位置に位置決めされる。この状態では、可動接触片４２は突出片５７をスライダ６の押圧部５９に押圧され、可動接点５８が固定接触片４１の固定接点４７から開離している。
【００４０】
キーキャップを介してボタン３を、コイルバネ４の付勢力に抗して押し下げると、一緒にスライダ６も下方へと移動する。このとき、可動接触片４２の突出片５７はスライダ６の凹曲面６１から第１傾斜面６０へと圧接位置を変更する。これにより、可動接触片４２の第３平面部４６に蓄えられた弾性エネルギーが、スライダ６を下方側へと付勢する力に変換される。この結果、ボタン３に対してスライダ６が単独で下方に移動し、被持上用突部６６の下端の平坦面６６ｂをボタン３の持上用突部３７の平坦面３７ｂに衝突させて音を発生させる。単にスライダ６が自重により落下するだけでなく、可動接触片４２からの弾性力を作用させることができるので、発生する音を大きくすることが可能となる。したがって、前記構成の押しボタンスイッチを備えたキーボードであれば、ユーザは押込操作が適切に行われたことを明確に認識することができる。また、前記キーボードをゲーム等で使用したとすれば、その押込操作により十分な音を発生させて使用状況に相応しいものとすることができる。また、弾性変形していた可動接触片４２が形状を復帰して真っ直ぐに延びることにより、可動接点５８が固定接点４７に閉成する。
【００４１】
ボタン３の押込操作を解除すると、コイルバネ４の付勢力によりボタン３が上動する。ボタン３が上動する際、コイルバネ４の付勢力は、突起部１００を介してボタン３に作用する。突起部１００は断面半円形状に形成され、コイルバネ４の上端部とは点接触している。このため、コイルバネ４の上端部が傾いて、ボタン３をその中心軸方向だけではなく、中心軸に対して交差した方向にも付勢力を作用させて振動させる。この結果、コイルバネ４に蓄えられた弾性エネルギーを早期に消費させ、発生する振動を急速に減衰させることができる。つまり、コイルバネ４のサージングが抑制され、異音の発生を防止可能となる。
【００４２】
このようにして、ボタン３は、第１アーム６７と第２アーム６８の第１軸部７１が軸受穴３８の内縁に当接し、初期位置へと復帰する。スライダ６は、被持上用突部６６の平坦面６６ｂにボタン３に形成した持上用突部３７の平坦面３７ｂが当接して持ち上げられ、押圧部５９が可動接触片４２の突出片５７を押圧して第３平面部５４（さらには第１平面部５１）を弾性変形させる。これにより、可動接点５８が固定接点４７から開離し、初期状態に復帰する。
【００４３】
図１１は、ボタン３を押し込んでから指を離したときのコイルバネ４の振動の変化を示すグラフである。図中、実線は本実施形態に係る構成を備えた押しボタンスイッチのコイルバネ４の振動の変化を示し、点線は突起部１００のないボタン３を備えた押しボタンスイッチでのコイルバネ４の振動の変化を示す。このグラフから明らかなように、本実施形態に係る押しボタンスイッチでは、ボタン３から指を離してから約０．１秒で十分に減衰させることができた。一方、突起部１００のないボタン３を備えた押しボタンスイッチでは、コイルバネ４の振動を十分に減衰させるのに、ほぼ３倍の約０．３秒かかった。
【００４４】
なお、本発明は、前記実施形態に記載された構成に限定されるものではなく、種々の変更が可能である。
【００４５】
前記実施形態では、ボタン３に一対の突起部１００を形成するようにしたが、次のように構成することもできる。
【００４６】
図１２では、ベース１の導光体２に一対の突起部１１０を形成するようにしている。すなわち、弾性体受部２６の受部本体２７の上面に、第３突起１１１及び第４突起１１２を、導光体２の中心を通る同一直線上に位置するように設けている。この突起部１１０によっても、ボタン３に設けた突起部１００と同様に、ボタン３に作用させるコイルバネ４の付勢力をその中心軸方向に対して傾斜させることができ、コイルバネ４のサージングを抑制することが可能である。この場合、ボタン３側には突起部１００を形成しなくてもよい。ボタン３側に突起部１００を形成する場合には、平面視での周方向の位置を、ボタン３側とベース１側とでずらせるようにするのが好ましい。これによれば、コイルバネ４の上端側と下端側とで突起部１００と１１０とによってそれぞれ撓んで捩れる方向を相違させることができる。この結果、さらにコイルバネ４の振動を迅速に減衰させることが可能となる。
【００４７】
図１２に示す導光体２の構成は、前記実施形態とは若干相違している。すなわち、導光体２の下面には、図示しない凹部が形成されている。凹部は、中心に向かって傾斜した円錐面と、中心部分の凹面とで構成されている。導光体２の上面外周には環状突部１１３が形成されている。これらの構成により、ＬＥＤからの光を周囲に広がることなく、確実にボタン３の平板部３１全体を照射させることが可能となっている。なお、導光体２に形成する突起部１１０は、図５Ａ及び図５Ｂに示す構成に採用してもよい。
【００４８】
前記実施形態では、突起部１００及び１１０をそれぞれ２つの突起１０１，１０２及び１１１，１１２で構成するようにしたが、図１３に示すように、ボタン３側に１つ（突起１０１のみ）としてもよいし、図１４に示すように、ベース１側に１つ（突起１１１のみ）としてもよい。また、突起は３つ以上としてもよい。また、ボタン３側とベース１側の両方に突起を形成してもよいし、いずれか一方だけとしてもよい。また、ボタン３側とベース１側とで突起の数を変更してもよい。また、ボタン３側又はベース１側に突起を複数設ける場合、各側での突起の高さを互いに相違させるのが好ましい。これによれば、コイルバネ４の付勢力を、前記実施形態のように、突起の両側に分散させるだけでなく、突起間にも分散させることができる。したがって、コイルバネ４の振動をより一層効果的に減衰させることが可能となる。
【００４９】
前記実施形態では、突起部１１０をベース１の導光体２に形成するようにしたが、ベース１の底部８に形成することもできる。
【００５０】
前記実施形態では、突起部１００をボタン３に設け、突起部１１０をベース１側に設けるようにしたが、図１５に示すように、突起部１２０をコイルバネ４に設けるようにしてもよい。ここでは、コイルバネ４の上端部に、中心軸に対して１８０°離れた位置にそれぞれ第１突起１２１及び第２突起１２２を形成している。但し、コイルバネ４自身への突起の加工は難しいため、別途、突起を有する付属品をコイルバネ４に装着するようにしてもよい。この場合、付属品はゴムや合成樹脂材料で筒状に形成し、その外周面に突起を設けて、筒状部分にコイルバネ４の一端側の線材を圧入するようにすればよい。
【００５１】
本発明の第１態様の押しボタンスイッチでは、
ベースと、
前記ベースに対して接離可能に取り付けられるボタンと、
前記ベースと前記ボタンの間に配置され、前記ベースに対して前記ボタンを離間方向へと付勢するコイルバネと、
前記ベース又は前記ボタンと、前記コイルバネとの間に配置されて、前記ベース又は前記ボタンに対して、前記コイルバネの端部を揺動可能に支持する突起部とを備える。
【００５２】
この構成により、突起部がコイルバネの端部に当接して揺動させ、コイルバネを中心軸に沿った方向以外の方向にも振動させることができる。これにより、コイルバネに蓄えられた弾性エネルギーを早期に消費して、振動を急速に減衰させることができる。つまり、コイルバネのサージングを効果的に抑制することが可能となる。
【００５３】
本発明の第２態様の押しボタンスイッチでは、
前記突起部は、前記コイルバネの中心軸に対して対向する位置にそれぞれ設けた一対の突起で構成される。
【００５４】
この構成により、コイルバネの端部を第１突起と第２突起とに当接させて、確実に揺動させることができるので、コイルバネのサージングをより一層効果的に抑制することが可能となる。
【００５５】
本発明の第３態様の押しボタンスイッチでは、
前記突起部の高さは、前記コイルバネの素線径よりも大きい。
【００５６】
この構成により、突起部を確実にコイルバネの一端部のいずれかの位置に当接させることができる。
【００５７】
本発明の第４態様の押しボタンスイッチでは、
前記突起部は、前記ボタンと前記コイルバネとの間の前記ボタンに設けられている。
【００５８】
この構成により、部品点数を増大させることなく、突起部を簡単に設けることができる。
【００５９】
本発明の第５態様の押しボタンスイッチでは、
前記突起部は、前記ベースと前記コイルバネとの間の前記ベースに設けられている。
【００６０】
この構成により、部品点数を増大させることなく、突起部を簡単に設けることができる。
【００６１】
本発明の第６態様の押しボタンスイッチでは、
前記突起部は、前記ボタンと前記コイルバネとの間に設けた突起と、前記ベースと前記コイルバネとの間に設けた突起とで構成され、前記コイルバネの中心軸周りにおいて前記突起の位置は互いに相違している。
【００６２】
この構成により、ボタン側とベース側とでコイルバネの端部を揺動させる方向を相違させることができ、さらに効果的にコイルバネのサージングを抑制可能となる。
【００６３】
本発明の第７態様の押しボタンスイッチでは、
前記突起部は、前記コイルバネに設けられている。
【００６４】
本発明の第８態様の押しボタンスイッチでは、
前記突起部が複数の突起で構成され、前記複数の突起の高さは、それぞれ前記コイルバネの素線径よりも大きくて互いに相違している。
【００６５】
この構成により、コイルバネの端部が高さの相違する複数の突起に当接することにより、確実にコイルバネを揺動させることができる。したがって、コイルバネに蓄えられた弾性エネルギーを早期に奪って振動を減衰させることが可能となる。
【００６６】
本発明の第９態様の押しボタンスイッチでは、
前記コイルバネは、前記ボタンと前記ベースとの間に設けた導光部材の外側に配置されている。
【００６７】
この構成により、光源からの光が透過する領域には導光部材のみとすることができ、導光効果を阻害することなく、サージングを抑制可能となる。
【産業上の利用可能性】
【００６８】
本発明に係る押しボタンスイッチは、キーボード等に採用することができる。
【符号の説明】
【００６９】
１…ベース
２…導光体
３…ボタン
４…コイルバネ
５…接点開閉機構
６…スライダ
７…昇降機構
８…底部
９…方形枠部
１０…開口部
１１…係止受部
１２…第１取付台
１３…第２取付台
１４…第１係止溝
１５…第１端子孔
１６…第１係止突条
１７…第２係止溝
１８…第２係止突条
１９…第２端子孔
２０ａ，２０ｂ…窪み部
２１ａ，２１ｂ…側面壁
２２…鍔部
２３…押出防止壁
２４…凹所
２５…導光本体
２６…弾性体受部
２７…受部本体
２８…筒状体
２９…爪部
３０…凹部
３１…平板部
３２…側壁部
３３ａ，３３ｂ…延在部
３４…ガイド部
３５…ガイド壁
３６…当接部
３６ａ…ガイド溝
３７…持上用突部
３７ａ…傾斜面
３８…軸受穴
３９…突起
４０…支持部
４１…固定接触片
４２…可動接触片
４３…第１平面部
４４…固定端子部
４５…第２平面部
４６…第３平面部
４７…固定接点
４８…第４平面部
４９…第１係止突部
５０…第１係止凹部
５１…第１平面部
５２…可動端子部
５３…第２平面部
５４…第３平面部
５５…第２係止突部
５６…第２係止凹部
５７…突出片
５８…可動接点
５９…押圧部
６０…第１傾斜面
６１…凹曲面
６２…第２傾斜面
６４…被ガイド突部
６５…平坦部
６６…被持上用突部
６７…第１アーム
６８…第２アーム
６９…軸体
７０…腕部
７１…第１軸部
７２…第２軸部
７３…第１突起
７４…軸受孔
７５…第２突起
１００，１１０，１２０…突起部
１０１，１１１，１２１…第１突起
１０２，１１２，１２２…第２突起
１１３…環状突部
【図１】
2019021600.tif 000003
【図２】
2019021600.tif 000004
【図３】
2019021600.tif 000005
【図４Ａ】
2019021600.tif 000006
【図４Ｂ】
2019021600.tif 000007
【図５Ａ】
2019021600.tif 000008
【図５Ｂ】
2019021600.tif 000009
【図６Ａ】
2019021600.tif 000010
【図６Ｂ】
2019021600.tif 000011
【図７Ａ】
2019021600.tif 000012
【図７Ｂ】
2019021600.tif 000013
【図８Ａ】
2019021600.tif 000014
【図８Ｂ】
2019021600.tif 000015
【図９Ａ】
2019021600.tif 000016
【図９Ｂ】
2019021600.tif 000017
【図１０】
2019021600.tif 000018
【図１１】
2019021600.tif 000019
【図１２】
2019021600.tif 000020
【図１３】
2019021600.tif 000021
【図１４】
2019021600.tif 000022
【図１５】
2019021600.tif 000023